(57)【要約】      （修正有）【課題】津波、洪水、水上非難用の救命ボートとして転覆や落水することが無く、強い日差しや風、波しぶき、雨等からも守られ、容易に乗船可能で、保管の際には小型収納を可能とした救命ボートを提供する。【解決手段】下部ボート部分１、及び上部のドーム状構造物２全てにゴムボートのような気室を持っており、それらは防水ファスナー４を用いて一体型のドーム状構造体にする。また、ボート底面には乗員固定ベルト３を設ける。ドーム状構造物の上部に水侵入対策が成された空気取入れ口５を設ける。水で圧力がかかった場合、上部蓋の支えゴム支柱が曲がって蓋が下がり、救命ドームボート空気取り入れ口が上部蓋で塞がれる構造である。下部ゴムボート部分と上部ドーム状構造物を繋いでいる防水ファスナーを開閉することでドーム状構造物を開閉できるようにする。圧縮空気ボンベを用いて各気室に瞬時に空気を入れられるようにする。【選択図】図１
2016182943.tif 000002
【特許請求の範囲】
【請求項１】
下部ボート部分、及び上部のドーム状構造物全てにゴムボートのような気室を持っており、それらは防水ファスナーを用いて一体型のドーム状構造体になっていることで乗員の落水防止が図られ、強い日差しや風、波しぶき、雨等からも守られ、乗員の体力消耗防止にも高い効果が得られる。更にボート底面に装着された乗員固定ベルトによって低重心が保たれることで、大波や強風を受けても乗員姿勢が常に固定され、大波でボートが転覆しそうになっても起き上がりこぼしのようにボート姿勢が復帰するため、転覆や沈没の危険から乗員が守られる。
また、下部ボート部分と上部ドーム状構造物を繋いでいる防水ファスナーを開閉することでドーム状構造物を開閉することができるため、自由に風や光を取り入れて快適な空間を作り出すことができ、乗員の体力消耗防止にも高い効果が得られることを特徴とする救命ドームボート。
【請求項２】
前記ボート内部の酸素欠乏を防止するため、上部に水侵入対策が成された空気取入れ口が設けられていることで、乗員への酸素供給が可能となっていることを特徴とする救命ドームボート。
【請求項３】
前記下部ゴムボート部分と上部ドーム状構造物、水侵入対策が成された空気取入れ口はゴムシートのような破れにくくも柔らかい材質、また乗員固定ベルトは安全性が高く柔らかいナイロンベルトを使用することで、折り畳んで積み重ねることができ、少ないスペースで多人数分の保管が可能なことから、低海抜地域や沿岸地域の一般家庭や企業、避難所等への防災常備品としての保管が容易であることを特徴とする救命ドームボート。
【請求項４】
使用の際には圧縮空気ボンベを用いて気室に空気を入れることにより、瞬時な緊急使用が可能であることを特徴とする救命ドームボート。
【発明の詳細な説明】
【技術分野】
【０００１】本発明は津波、洪水、水上非難用の救命ボートとして転覆や落水することが無く、強い日差しや風、波しぶき、雨等からも守られ、容易に乗船可能で、保管の際には小型収納を可能とした救命ボートに関するものである。
【背景技術】
【０００２】従来、頑強な球体カプセル構造を持った「救命カプセル」がある。
（特許文献１参照）
また、ゴムボートの上部をカバーシートで覆った「救命イカダ」、折り畳み可能で転覆しない救命ボート「ボート用セーフティドーム」がある。
（特許文献２、及び特許文献３参照）
【先行技術文献】
【特許文献】
【０００３】
【特許文献１】  特開２０１２−２０６６４０号広報
【特許文献２】  特開２００２−２４０７８２号広報
【特許文献３】  特願２０１４−２０６７３５（識別５１４２５５１９８）
【発明の概要】
【発明が解決しようとする課題】
【０００４】そのため、次のような問題点があった。
（イ）  救命カプセルは頑強な球体カプセル構造物のため、津波等で転覆しそうになっても搭乗者が保護されるが、折り畳みできないために保管には広いスペースが必要であり、避難所のような多人数分の保管が必要な時には現実的でない程の広大なスペースが必要である。
（ロ）  救命イカダは折り畳んでの多数の保管が可能であるが、上部屋根シートは１本もしくは２本の柱で支えているだけの構造のため、津波等では転覆や乗員が落水する可能性がある。
（ハ）  ボート用セーフティドームは折畳み可能であり転覆しない構造であるが、ドームの骨材に使用する材料が硬いため、折り畳んでの保管サイズの更なる小型化を図るには構造的に困難である。
本発明はこれらの問題点を解決するためになされたものである。
【課題を解決するための手段】
【０００５】請求項１では、
下部ボート部分、及び上部のドーム状構造物全てにゴムボートのような気室を持っており、それらは防水ファスナーを用いて一体型のドーム状構造体にする。
また、ボート底面には乗員固定ベルトを設ける。
請求項２では、
ドーム状構造物の上部に水侵入対策が成された空気取入れ口を設ける。
水で圧力がかかった場合、上部蓋の支えゴム支柱が曲がって蓋が下がり、救命ドームボート空気取り入れ口が上部蓋で塞がれる構造である。
請求項３では、
下部ゴムボート部分と上部ドーム状構造物、水侵入対策が成された空気取入れ口はゴムシートのような破れにくくも柔らかい材質、また乗員固定ベルトは安全性が高く柔らかいナイロンベルトを使用する。
請求項４では、
圧縮空気ボンベを用いて各気室に瞬時に空気を入れられるようにする。
【発明の効果】
【０００６】請求項１では、
下部ボート部分、及び上部のドーム状構造物全てにゴムボートのような気室を持っており、それらは防水ファスナーを用いて一体型のドーム状構造体になっていることで乗員の落水防止が図られ、強い日差しや風、波しぶき、雨等からも守られ、乗員の体力消耗防止にも高い効果が得られる。
更にボート底面に装着された乗員固定ベルトによって低重心が保たれることで、大波や強風を受けても乗員姿勢が常に固定され、大波でボートが転覆しそうになっても起き上がりこぼしのようにボート姿勢が復帰するため、転覆や沈没の危険から乗員が守られる。
また、下部ボート部分と上部ドーム状構造物を繋いでいる防水ファスナーを開閉することでドーム状構造物を開閉させることができるため、自由に風や光を取り入れて快適な空間を作り出すことができ、乗員の体力消耗防止にも高い効果が得られる。
請求項２では、
前記ボート内部の酸素欠乏を防止するため、上部に水侵入対策が成された空気取入れ口が設けられていることで、乗員への酸素供給が可能となっている。
水で圧力がかかった場合、上部蓋の支えゴム支柱が曲がって蓋が下がり、救命ドームボート空気取り入れ口が上部蓋で塞がれる構造である。
請求項３では、
前記の下部ボート部分と上部ドーム状構造物の全てがゴムシートのような破れにくくも柔らかい材質で構成されるため、折り畳んで積み重ねることで少ないスペースで多人数分の保管が可能なことから、低海抜地域や沿岸地域の一般家庭や企業、避難所等への防災常備品としての保管が容易である。
請求項４では、
使用の際には圧縮空気ボンベを用いて気室に空気を入れることにより、瞬時な緊急使用が可能である。
【図面の簡単な説明】
【０００７】
【図１】本発明のドーム全閉のとき（破線：開いたとき）の全体図である。
【図２】本発明のドームを開いたときの全体図である。
【図３】本発明のドームを全閉したときの全体図である。
【図４】本発明の水進入対策が成された空気取入れ口の全体図である。
【発明を実施するための形態】
【０００８】以下、本発明の実施の形態について説明する。
図１において、下部ゴムボート部分（１）と上部ドーム状構造物（２）はいづれもゴムボートのように気室を持った構造体であり、下部ゴムボート部分を低重心に保たせるために座席部分に乗員人数分の乗員固定ベルト（３）を設ける。
下部ボート部分と上部ドーム状構造物は防水ファスナー（４）で繋がれ、ファスナーを閉めている時には一体構造のドーム体となって乗員が覆われるために、大波でボートが転覆しそうになっても起き上がりこぼしのようにボート姿勢が復帰すると共に、乗員の落水防止、強い日差しや風、波しぶき、雨等からも乗員が守られる。
上部のドーム状構造物は必要に応じて防水ファスナーの開閉操作ができるため、適度に風や光を取り入れることで体力の消耗を抑えることができると共に、上部に水侵入対策が成された空気取入れ口（５）が設けられていることで、乗員への酸素供給が可能となっている。
水で圧力がかかった場合、上部蓋の支えゴム支柱が曲がって蓋が下がり、救命ドームボート空気取り入れ口が上部蓋で塞がれる構造である。
全体がゴム質のような破れにくく柔らかい材質を使用しているため、折り畳んで積み重ねることで少ないスペースでの多人数分の保管ができ、圧縮空気ボンベでボートを膨らませることで瞬時な緊急使用が可能である。
【符号の説明】
【０００９】１  下部ボート部分
２  上部ドーム状構造物
３  乗員固定ベルト
４  防水ファスナー
５  水侵入対策が成された空気取入れ口
【図１】
2016182943.tif 000003
【図２】
2016182943.tif 000004
【図３】
2016182943.tif 000005
【図４】
2016182943.tif 000006